(57)【特許請求の範囲】
【請求項１】
それぞれ２つのクレードル部材（４，４′）を有するクレードル部材対偶（３）を介して互いに枢着された複数のリンクプレート（１，１′）を有するリンクチェーン（２２）であって、
前記クレードル部材（４，４′）が、前記リンクチェーン（２２）の長手方向に対して直交する横方向に延在していて、前記リンクプレート（１，１′）の開口（７，７′）内に遊び（Ｓ）を保って配置されており、
前記クレードル部材（４，４′）及びリンクプレート（１，１′）に、湾曲した当接面（５，５′，６，６′）が配置されていて、
第１のクレードル部材（４）の当接面（５）が第１のリンクプレート（１）の当接面（６）に支えられており、第２のクレードル部材（４′）の当接面（５′）が第２のリンクプレート（１′）の当接面（６′）に支えられており、これらの当接面に沿って、クレードル部材（４，４′）及びリンクプレート（１，１′）が力を伝達するために互いに当接するようになっており、
前記クレードル部材（４，４′）に、湾曲した転動面（２３）が配置されていて、これらの転動面（２３）に沿って、前記クレードル部材（４，４′）が力を伝達するために互いに転動かつ／または互いに滑動するようになっているリンクチェーンにおいて、
隣接する第１及び第２のリンクプレート（１，１′）の開口（７，７′）の遊び減少箇所（１０，１０′）と第２及び第１のクレードル部材（４′，４）との間の、前記リンクチェーン（２２）の長手方向における前記遊び（Ｓ）の寸法が、それぞれ、０．０５ｍｍ乃至０．１５ｍｍであることを特徴とする、リンクチェーン。
【請求項２】
前記リンクプレート（１）が、リンクチェーンの長手方向に対して横方向に幅（ｂ）を有していて、前記遊び（Ｓ）が、リンクプレート（１）の前記幅（ｂ）の１／５０乃至１／１５である、請求項１記載のリンクチェーン。
【請求項３】
前記遊び減少箇所（１０，１０′）が、前記遊び（Ｓ）を局所的に０．０５ｍｍ乃至０．１５ｍｍに限定する、請求項１又は２記載のリンクチェーン。
【請求項４】
前記遊び減少箇所（１０，１０′）が、前記遊び（Ｓ）を局所的に、前記リンクプレート（１，１′）の幅（ｂ）の１／５０乃至１／１５に限定する、請求項１から３までのいずれか１項記載のリンクチェーン。
【請求項５】
前記開口（７，７′）の内面の直角度公差が、０．０２ｍｍよりも小さい、請求項１から４までのいずれか１項記載のリンクチェーン。
【請求項６】
前記開口（７，７′）が、内方に凸状に湾曲した少なくとも３つの領域（Ａ，Ｂ，Ｃ）を有している、請求項１から５までのいずれか１項記載のリンクチェーン。
【請求項７】
前記クレードル部材（４，４′）が、前記リンクチェーン（２２）の長手方向に延在する、クレードル部材の上下方向の横断面で見て、非対称に構成されている、請求項１から６までのいずれか１項記載のリンクチェーン。
【請求項８】
請求項１から７までのいずれか１項記載のリンクチェーンを巻き掛け伝動装置に使用することを特徴とする、リンクチェーンの使用法。
【発明の詳細な説明】
【技術分野】
【０００１】
本発明は、それぞれ２つのクレードル部材を有するクレードル部材対偶を介して互いに枢着された複数のリンクプレートを有するリンクチェーンであって、前記クレードルが前記リンクチェーンの長手方向に対して直交する横方向に延在していて、前記リンクプレートの開口内に遊びを保って配置されており、前記クレードル部材及びリンクプレートに、湾曲した当接面が配置され、これらの当接面に沿って、クレードル部材及びリンクプレートが力を伝達するために互いに当接するようになっており、前記クレードル部材に、湾曲した転動面が配置され、これらの転動面に沿って、前記クレードル部材が力を伝達するために互いに転動かつ／または互いに滑動するようになっている形式のものに関する。また本発明は、リンクチェーンを巻き掛け伝動装置に使用する使用法に関する。
【０００２】
このようなリンクチェーンは、例えば自動車における例えば円錐ベルト車巻き掛け伝動装置の力伝達手段として、又は歯車巻き掛け伝動装置の歯型リンクチェーンとして使用される。リンクチェーンにおいては、引張力は、２つの円錐円板対の円錐円板面とクレードル部材との間の摩擦接触によって伝達される。また歯型リンクチェーンにおいては、引張力は、歯型リンクチェーンの歯が歯車の歯に噛み合うことによって伝達される。
【０００３】
リンクチェーン若しくは歯型リンクチェーンが円錐ベルト車若しくは歯車に巻き掛けられていない領域、つまりリンクチェーン若しくは歯型リンクチェーンが自由に移動する領域では、リンクチェーン若しくは歯型リンクチェーンは横方向運動を実施する。この場合、横方向運動とは、歯車若しくは円錐ベルト車の回転軸線方向における横方向振動運動である。リンクチェーン若しくは歯型リンクチェーンの振動は、さらに、力伝達方向並びに力伝達方向に対して横方向での、いわゆるベルト振動（Trumschwingung）として可能である。
【０００４】
特にリンクプレート若しくは歯型リンクチェーンの横方向振動によって、伝動装置のハウジングのために大きい構造スペースが必要となる。何故ならば、伝動装置のハウジング内で、ハウジングにチェーンがぶつかるのを避ける必要があるからである。
【０００５】
そこで本発明の課題は、特に横方向振動における振動振幅が小さいリンクチェーン若しくは歯型リンクチェーンを提供することである。
【０００６】
この課題を解決した本発明によれば、それぞれ２つのクレードル部材を有するクレードル部材対偶を介して互いに枢着された複数のリンクプレートを有するリンクチェーンであって、前記クレードルが前記リンクチェーンの長手方向に対して直交する横方向に延在していて、前記リンクプレートの開口内に遊びを保って配置されており、前記クレードル部材及びリンクプレートに、湾曲した当接面が配置されていて、これらの当接面に沿って、クレードル部材及びリンクプレートが力を伝達するために互いに当接するようになっており、前記クレードル部材に、湾曲した転動面が配置されていて、これらの転動面に沿って、前記クレードル部材が力を伝達するために互いに転動かつ／または互いに滑動するようになっており、この場合、隣接する前記リンクプレートの開口に対するクレードル部材の前記遊びの寸法が、０．２ｍｍよりも小さいことを特徴としている。特に有利には、前記遊びは０．０５ｍｍ乃至０．１５ｍｍである。この場合、リンクチェーンとは、歯型リンクチェーンであってもよい。また、リンクプレートが、リンクチェーンの長手方向に対して横方向に幅を有していて、前記遊びが、リンクプレートの幅の５０分の１（１／５０）乃至１５分の１（１／１５）である。前記遊びが０．０５ｍｍ乃至０．１５ｍｍであって、また前記遊びＳが、リンクプレートの幅の５０分の１（１／５０）乃至１５分の１（１／１５）であれば、リンクチェーンの横方向振動幅が著しく減少される。本発明のリンクチェーンの別の実施態様によれば、前記開口が、前記遊びを局所的に０．０５ｍｍ乃至０．１５ｍｍに限定する遊び減少箇所を有している。遊びを開口若しくはクレードル部材の輪郭全体に設ける代わりに、遊びを、小さい遊びが存在する個別の箇所によって形成してもよい。本発明のリンクチェーンの別の有利な実施態様によれば、前記開口の内周面の直角度公差が、０．０２ｍｍよりも小さい。本発明のリンクチェーンの別の有利な実施態様によれば、前記開口が、内方に凸状に湾曲した少なくとも３つの領域を有している。この場合、クレードル部材は、前記リンクチェーンの長手方向に延在する、クレードル部材の上下方向の横断面で見て、非対称に構成されている。非対称の構成によって、クレードル部材とチェーンリンクとの接触面の領域において圧力を効果的に導入することができる。
【０００７】
冒頭の述べた課題は、本発明のリンクチェーンを、特に伝達比を変えることができる円錐ベルト車巻き掛け伝動装置のリンクチェーンとして、又は歯車伝動装置の歯型リンクチェーンとして使用することによって解決された。
【図面の簡単な説明】
【０００８】
【図１】従来技術による歯型リンクプレートの側面図である。
【図２】従来技術による別の歯型リンププレートの歯を示す図である。
【図３】リンクプレートの開口内における１対のクレードル部材の遊びを示す図であって、ａ）は従来技術による歯型リンクプレートの一部、ｂ）は本発明によるリンクチェーンの一部を示す側面図である。
【図４】本発明によるリンクプレートチェーンの断面図である。
【図５】図４に示したリンクプレートチェーンに対応する本発明によるリンクプレートチェーンの断面図である。
【図６】図５に示したリンクプレートの拡大図である。
【図７】本発明による歯型リンクチェーン若しくは従来技術による歯型リンクチェーンを有する巻き掛け伝動装置の、側方振動を示す概略的な平面図である。
【発明を実施するための形態】
【０００９】
以下に図面に示した本発明の実施例について説明する。
【００１０】
図１は、歯型リンクプレートとして構成されたリンクプレート１，１′の、歯型リンクプレートチェーン２２（これ以外は示されていない）の一部を示す。歯型リンププレートチェーンにおいては、リンクプレート１，１′が２つの歯２，２′を備えており、リンクプレートチェーンにおいては歯２，２′が省かれている。リンクプレートチェーン２２は、公知の形式でリンクプレート１若しくは１′を交互に重ねて配置して形成されており、この場合、互いに隣接し合うチェーンリンクに所属するリンクプレート１，１′はそれぞれ、クレードル部材対偶３によって互いに結合されている。クレードル部材対偶３は、それぞれ１つのクレードル部材４及びクレードル部材４′を有しており、これらのクレードル部材４，４′は互いに転動する。各クレードル部材対偶３は、リンクプレート１の受容孔７内に受容されており、前記受容孔７は、当接面６を有している。図１では、クレードル部材４がリンクプレート１の当接面６に支えられており、クレードル部材４′は、隣接するリンクプレート１′の当接面６′に支えられている。クレードル部材４は、湾曲して構成された当接面５を有しており、この当接面５によって、クレードル部材４は、リンクプレート１の当接面６に支えられている。これに対応して、クレードル部材４′は当接面５′を有していて、この当接面５′によって、クレードル部材４′は、リンクプレート１に隣接するリンクプレート１′の当接面６′に支えられる。当接面６に対面している、開口７の開口面８は、隣接するリンクプレート１′に支えられているクレードル部材４′に対してギャップ２４が形成されるように、構成されている。つまり、クレードル部材４′は、リンクプレート１の開口７の表面に接触しない。相応のギャップは、クレードル部材４とリンクプレート１′の開口８′の表面との間にも存在する。
【００１１】
図２は、従来技術により公知の別のリンクプレート１の一部を示す。隣接するリンクプレート１′は示されていない。同様に、歯２に所属する、図１によるリンクプレート１の左側の部分だけが示されている。この場合、開口８は、それぞれ開口８内に凸状に突入するカムＡ，Ｂ並びにＣを有している。クレードル部材対偶３のクレードル部材４は、カムＡに対応する凹状の狭窄部ＡＷを有しており、クレードル部材４′は、カムＢに対応する凹状の狭窄部ＢＷを有している。狭窄部ＡＷは、リンクチェーンを折り曲げるとカムＡに支えられ、これに対応して、リンクチェーンを折り曲げるとクレードル部材４′の狭窄部ＢＷがカムＢに支えられ、それによって、特にリンクチェーンの戻り振動時にクレードル部材４及び４′が強くねじられることは避けられる。
【００１２】
リンクチェーンの走行方向で見てチェーン上側に配置されたカムＣは、リンクチェーンの折れ曲がり時にクレードル部材４若しくは４′を回転防止するために役立つ。図１及び図２の破線で示した円９は、リンクプレート１に対するクレードル部材４′の比較的大きい間隔を有する領域を示す。図２に示したリンクチェーンの実施例においては、２重矢印Ｒで示した方向でのクレードル部材４′の可能な相対運動が、リンクプレート１に対するクレードル部材４′の間隔ａｘによって規定される。
【００１３】
図３ａは、２つのリンクプレート１，１′間の遊びを示す、図１の従来技術による２つのリンクプレート１，１′の側面図である。リンクプレート１と１′との間の遊び（符号Ｓで示されている）は、クレードル部材対偶３をリンクプレート１の開口７内及びリンクプレート１′の開口７′内に遊びを保って受容することによって得られる。リンクプレート１並びに、このリンクプレート１に所属する開口７、及びこの開口７内で支えられているクレードル部材４は、図３ａに破線で示されており、リンクプレート１′並びに、このリンクプレート１′に所属する開口７、及びこの開口７内で支えられているクレードル部材４′は、実線で示されている。リンクプレート１，１′は、クレードル部材対偶３に対してそれぞれ遊びＳを有している。２つのリンクプレート１，１′は、互いに遊び２Ｓだけシフトすることができる。遊びＳは、従来技術によるリンクチェーンにおいては約０．２ｍｍであるので、リンクチェーン内の全遊びは数ミリメートルになる。
【００１４】
図３ｂは、本発明によるリンクチェーン２２の２つのリンクプレート１，１′を示しており、この場合、遊びＳは、０．０５乃至０．１５ｍｍに減少されている。従来技術における遊び０．２ｍｍを０．０５ｍｍ乃至０．１５ｍｍに減少することは、例えば図３ｂに示されているように、局所的な遊び減少箇所１０若しくは１０′において得られる。局所的な遊び減少箇所１０及び１０′は、有利な形式で、これらの遊び減少箇所１０，１０′がリンクチェーンの折り曲げられていない状態においてのみ遊び減少が得られ、それにも拘わらず、折り曲げられた状態では遊び減少箇所１０，１０′はクレードル部材４若しくは４′と接触しない。図３ｂは、図２のリンクプレートに応じた歯型リンクチェーン、つまり各リンクプレートがカムＡ，Ｂ，Ｃを備えている歯型リンクチェーンのための遊び減少を示す。遊び減少Ｓ＝０．０５乃至０．１５ｍｍは、図１に示したリンクチェーン、つまりカムＡ，Ｂ，Ｃ無しのリンクチェーンにも設けることができる。
【００１５】
遊びＳは、局所的な遊び減少箇所１０若しくは１０′によって減少させることができる。つまり、開口面８若しくは８′の領域内で開口７若しくは７′が、特にリンクチェーンの折り曲げられていない状態で、遊びの値をＳ＝０．０５乃至０．１５ｍｍに減少させる領域を有していることによって、減少させることができる。この場合、遊びＳは、リンクチェーン１の幅ｂのほぼ５０分の１（１／５０）乃至１５分の１（１／１５）であって、リンクチェーン１の幅ｂは、図４並びに図５に示されているように、リンクチェーンを平面図で見て、リンクプレートの横方向で測定した幅である。
【００１６】
０．０５ｍｍ乃至０．１５ｍｍの遊びＳによって、若しくはリンクプレート１の幅ｂのほぼ５０分の１（１／５０）乃至１５分の１（１／１５）の遊びＳにおいて、図７に示したリンクチェーンの横方向振動幅が著しく減少される。
【００１７】
図４及び図５は、本発明によるリンクチェーンの断面図を示す。図３ａ及び図３ｂに対応する、互いに隣接し合う２つのチェーンリンクのリンクプレートスタック（リンクプレートの積み重ね）が示されており、この場合、隣接し合う２つのチェーンリンクの１つのリンクプレート１と２つのリンクプレート１′とが示されている。図３ａ及び図３ｂに示した遊びＳによって、クレードル部材４，４′は、リンクチェーンの長手方向で傾倒運動を行い、クレードル部材対偶３若しくはクレードル部材４，４′は傾倒角度αだけリンクチェーンの横方向軸線１２からそれる。横方向軸線１２は、図４に２重矢印で示したチェーン走行方向１３に対する垂線である。本発明に従って遊びＳを減少させたことによって、傾倒角度αは減少される。これは図５に示されている。リンクプレート１の開口７の若しくは７′の内側面の直角度公差（Rechtwinkeligstoleranz）が、０．０２ｍｍよりも小さいことによって、遊びＳ及び傾倒角度αを付加的に減少させることができる。直角度公差Ｒを明らかにするために、図５には、基準面１４並びに矢印１５が示されている。図面は、DIN ISO 1101に基づいている。リンクプレート１若しくは１′の開口７の許容された軸線１６は、基準面１４に対して平行、かつ矢印１５の方向に対して垂直な２つの平面１７と１７′との間において、０．０２ｍｍよりも小さい間隔を有していなければならない。これを明瞭にするために、図６には、図５に示したリンクプレート１′が拡大して示されており、基準面１７若しくは１７′に対して軸線１６の間隔Ｒ１及びＲ２は、０．０２ｍｍよりもそれぞれ小さい。基準面１７若しくは１７′に対する軸線１６の間隔Ｒ１及びＲ２は、直角度公差Ｒに加算され、この場合、Ｒ１＜Ｒ、Ｒ２＜Ｒである。
【００１８】
図７は、本発明による遊び減少の作用及び、直角度公差Ｒの減少の作用を示す、巻き掛け伝動装置の概略図である。巻き掛け伝動装置は、第１の歯車１８と第２の歯車１９とを有しており、この第１の歯車１８及び第２の歯車１９は、歯型リンクチェーン２０によって巻き掛けられている。歯型リンクチェーン２０は、巻き掛け伝動装置の運転中に横方向振動運動（矢印２１で示されている）を行う。従来技術による歯型リンクチェーン２０のための最大変位は破線で示されていて、本発明による歯型リンクチェーン２０のための変位は実線で示されている。横方向振動幅、つまり二重矢印２１の方向の変位は、本発明に従ってリンクチェーン若しくは歯型リンクチェーンを構成することによって著しく減少される。これによって、リンクチェーンは、巻き掛け伝動装置のハウジング壁にぶつかることはなく、従って騒音は減少される。
【符号の説明】
【００１９】
１，１′  リンクプレート、  ２，２′  歯、  ３  クレードル部材対偶、  ４，４′  クレードル部材、  ５，５′  当接面、  ６，６′  当接面、  ７，７′  開口、  ８，８′  開口面、  ９  円、  １０，１０′  局所的な遊び減少箇所、  １１′  長手方向軸線、  １２  横方向軸線、  １３  チェーン走行方向、  １４  基準面、  １５  矢印、  １６  軸線、  １７  基準面、  １８  第１の歯車、  １９  第２の歯車、  ２０  歯型リンクチェーン、  ２１  横方向振動、  ２２  歯型リンクチェーン、  ２３  転動面、  ２４  ギャップ、ＡＷ，ＢＷ  狭窄部、  Ｓ  遊び、  α  傾倒角度、  Ｒ  直角度公差
【図１】
0005550348.tif 000002
【図２】
0005550348.tif 000003
【図３ａ】
0005550348.tif 000004
【図３ｂ】
0005550348.tif 000005
【図４】
0005550348.tif 000006
【図５】
0005550348.tif 000007
【図６】
0005550348.tif 000008
【図７】
0005550348.tif 000009